(57)【特許請求の範囲】
【請求項１】
パスワードが記載された原稿を読み取って読取画像データを生成する読取手段と、
前記読取手段によって生成された読取画像データに対して文字認識処理を行うことにより、前記パスワードを取得する取得手段と、
前記取得手段によって取得されたパスワードを用いて復号化可能に、前記読取画像データを暗号化する暗号化手段と、
を備えることを特徴とする画像処理装置。
【請求項２】
前記読取画像データから前記パスワードを消去する消去手段を備え、
前記暗号化手段は、前記消去手段によって前記パスワードが消去された前記読取画像データを暗号化することを特徴とする請求項１に記載の画像処理装置。
【請求項３】
前記取得手段によって取得されたパスワードを表示する表示手段と、
前記表示手段による表示に対してユーザから入力される前記パスワードの訂正入力を受け付ける受付手段と、
前記受付手段によって受け付けられた訂正入力に基づいて、前記取得手段によって取得されたパスワードを訂正する訂正手段と、
を備え、
前記暗号化手段は、前記訂正手段によって訂正されたパスワードを用いて復号化可能に、前記読取画像データを暗号化することを特徴とする請求項１又は２に記載の画像処理装置。
【請求項４】
前記読取手段は、予め定められた特定領域内に前記パスワードが記載された前記原稿を読み取って前記読取画像データを生成し、
前記取得手段は、前記特定領域の画像データに対して文字認識処理を行うことにより、前記パスワードを取得することを特徴とする請求項１〜３のいずれか１項に記載の画像処理装置。
【請求項５】
前記パスワードが記載された領域をユーザが指定可能に、前記読取手段によって生成された読取画像データを表示し、表示に応じて前記ユーザが指定した領域を受け付けるタッチパネルを備え、
前記取得手段は、前記タッチパネルによって受け付けられた領域の画像データに対して文字認識処理を行うことにより、前記パスワードを取得することを特徴とする請求項１〜３のいずれか１項に記載の画像処理装置。
【請求項６】
パスワードが記載された原稿を読み取ることにより生成された読取画像データであって、前記パスワードを用いて復号化可能に暗号化された前記読取画像データを取得する取得手段と、
ユーザから前記パスワードを受け付ける受付手段と、
前記取得手段によって取得された読取画像データを、前記受付手段によって受け付けられたパスワードを用いて復号化する復号化手段と、
前記復号化手段によって復号化された読取画像データから前記パスワードを消去する消去手段と、
前記消去手段によって前記パスワードが消去された読取画像データを出力する出力手段と、
を備えることを特徴とする出力装置。
【請求項７】
パスワードが記載された原稿を読み取ることにより生成された読取画像データであって、前記パスワードを用いて復号化可能に暗号化された前記読取画像データを取得する取得手段、
ユーザから前記パスワードを受け付ける受付手段、
前記取得手段によって取得された読取画像データを、前記受付手段によって受け付けられたパスワードを用いて復号化する復号化手段、
前記復号化手段によって復号化された読取画像データから前記パスワードを消去する消去手段、
前記消去手段によって前記パスワードが消去された読取画像データを出力する出力手段、
としてコンピュータを機能させることを特徴とするプログラム。
【発明の詳細な説明】
【技術分野】
【０００１】
本発明は、画像データの暗号化を行う画像処理装置、暗号化された画像データを復号化して出力する出力装置及びプログラムに関する。
【背景技術】
【０００２】
従来から、紙に印刷された原稿を読み取って原稿の読取画像データを生成する画像処理装置が広く知られている。また、下記特許文献１には、機密情報の管理をするための情報処理装置が記載されている。この情報処理装置は、原稿のデータを暗号化する暗号化手段と、暗号化された原稿のデータを復元（復号化）する復元手段とを備えている。
【先行技術文献】
【特許文献】
【０００３】
【特許文献１】特開平５−１６１０２２号公報
【発明の概要】
【発明が解決しようとする課題】
【０００４】
復号化を行う装置には、パスワードを用いて復号化を行うために、暗号化された読取画像データを復号化する際にパスワードの入力を必要とする装置がある。このような装置を用いて暗号化された読取画像データを復号化するためには、暗号化された読取画像データ毎にパスワードを管理する必要がある。しかしながら、その管理は煩雑であり、手間がかかる。
【０００５】
本発明は、上記問題点を解消する為になされたものであり、読取画像データを暗号化すると共に、読取画像データが復号化される際に必要なパスワードの管理の手間を軽減することが可能な画像処理装置を提供することを目的とする。また、本発明に係る上記画像処理装置によって暗号化された読取画像データを復号化して出力する出力装置及びプログラムを提供することを目的とする。
【課題を解決するための手段】
【０００６】
本発明に係る画像処理装置は、パスワードが記載された原稿を読み取って読取画像データを生成する読取手段と、読取手段によって生成された読取画像データに対して文字認識処理を行うことにより、パスワードを取得する取得手段と、取得手段によって取得されたパスワードを用いて復号化可能に、読取画像データを暗号化する暗号化手段とを備えることを特徴とする。
【０００７】
本発明に係る画像処理装置によれば、パスワードの記載された原稿が読み取られて、読取画像データが生成される。そして、読取画像データに対して文字認識処理が行われることにより、原稿に記載されたパスワードが取得される。続いて、取得されたパスワードを用いて復号化することが可能に、読取画像データが暗号化される。このため、読取画像データが復号化される際に必要なパスワードは、原稿に記載されているので、ユーザは、暗号化された読取画像データ毎にパスワードを管理する必要はなく、原稿を見れば、復号化に必要なパスワードを知ることができる。従って、読取画像データを暗号化すると共に、読取画像データが復号化される際に必要なパスワードの管理の手間を軽減することが可能となる。
【０００８】
本発明に係る画像処理装置は、読取画像データからパスワードを消去する消去手段を備えることが好ましく、更に、暗号化手段は、消去手段によってパスワードが消去された読取画像データを暗号化することが好ましい。
【０００９】
この好ましい構成によれば、読取画像データからパスワードが消去されるので、暗号化された読取画像データには、パスワードが含まれていない。従って、暗号化された読取画像データを復号化して表示又は印刷した場合であっても、パスワードは表示も印刷もされないので、他人にパスワードが見られないようにすることができる。
【００１０】
本発明に係る画像処理装置は、取得手段によって取得されたパスワードを表示する表示手段と、表示手段による表示に対してユーザから入力されるパスワードの訂正入力を受け付ける受付手段と、受付手段によって受け付けられた訂正入力に基づいて、取得手段によって取得されたパスワードを訂正する訂正手段とを備えることが好ましく、更に、暗号化手段は、訂正手段によって訂正されたパスワードを用いて復号化可能に、読取画像データを暗号化することが好ましい。
【００１１】
この好ましい構成によれば、文字認識処理によって得られたパスワードが表示され、表示に対してユーザからパスワードの訂正入力を受け付けた場合に、受け付けられた訂正入力に基づいてパスワードの訂正が行われる。このため、文字認識処理によるパスワードの認識に誤りがあった場合であっても、原稿に記載されたパスワードに訂正され、訂正されたパスワードを用いて復号化可能に暗号化を行うことができる。すなわち、誤ったパスワードで暗号化の処理が行われることを防止することができる。
【００１２】
本発明に係る画像処理装置は、読取手段が、予め定められた特定領域内にパスワードが記載された原稿を読み取って読取画像データを生成し、取得手段が、原稿上で予め定められた特定領域の画像データに対して文字認識処理を行うことにより、パスワードを取得することが好ましい。
【００１３】
この好ましい構成では、パスワードが記載された特定領域が予め定められている。このため、読取画像データ全体に対して文字認識処理を行うことなく、読取画像データのうち、特定領域の画像データに対して文字認識処理を行うだけで、パスワードを取得することができる。
【００１４】
本発明に係る画像処理装置は、パスワードが記載された領域をユーザが指定可能に、読取手段によって生成された読取画像データを表示し、表示に応じてユーザが指定した領域を受け付けるタッチパネルを備えることが好ましく、更に、取得手段は、タッチパネルによって受け付けられた領域の画像データに対して文字認識処理を行うことにより、パスワードを取得することが好ましい。
【００１５】
この好ましい構成では、ユーザによって、パスワードが記載された領域が指定される。従って、原稿のどの位置にパスワードが記載されている場合であっても、パスワードが記載された領域を特定し、パスワードを取得することができる。
【００１６】
本発明に係る出力装置は、パスワードが記載された原稿を読み取ることにより生成された読取画像データであって、パスワードを用いて復号化可能に暗号化された読取画像データを取得する取得手段と、ユーザからパスワードを受け付ける受付手段と、取得手段によって取得された読取画像データを、受付手段によって受け付けられたパスワードを用いて復号化する復号化手段と、復号化手段によって復号化された読取画像データからパスワードを消去する消去手段と、消去手段によってパスワードが消去された読取画像データを出力する出力手段とを備えることを特徴とする。
【００１７】
本発明に係る出力装置によれば、パスワードが記載された原稿を読み取って生成され、パスワードで暗号化された読取画像データが入力される。そして、入力された読取画像データが、受け付けられたパスワードを用いて復号化される。続いて、パスワードが、復号化された読取画像データから消去され、読取画像データが出力される。これにより、復号化された読取画像データが出力される際には、パスワードが消去されているので、例えば、表示又は印刷等された場合に、他人にパスワードを見られないようにすることが可能となる。
【００１８】
本発明に係るプログラムは、パスワードが記載された原稿を読み取ることにより生成された読取画像データであって、パスワードを用いて復号化可能に暗号化された読取画像データを取得する取得手段、ユーザからパスワードを受け付ける受付手段、取得手段によって取得された読取画像データを、受付手段によって受け付けられたパスワードを用いて復号化する復号化手段、復号化手段によって復号化された読取画像データからパスワードを消去する消去手段、消去手段によってパスワードが消去された読取画像データを出力する出力手段としてコンピュータを機能させることを特徴とする。
【００１９】
本発明に係るプログラムによれば、コンピュータを上記の暗号化された画像データを復号化して出力する出力装置として機能させることができる。従って、上記の暗号化を行う画像処理装置によって暗号化された読取画像データを復号化し、他人がパスワードを見ることができないように表示することができる。
【発明の効果】
【００２０】
本発明によれば、読取画像データを暗号化すると共に、読取画像データが復号化される際に必要なパスワードの管理の手間を軽減することが可能となる。また、本発明に係る上記画像処理装置によって暗号化された読取画像データを復号化して出力することができる。
【図面の簡単な説明】
【００２１】
【図１】第１実施形態に係る画像処理装置が搭載されたネットワーク複合機の構成を示すブロック図である。
【図２】パスワード付き原稿の一例を示す図である。
【図３】図１に示すネットワーク複合機が有する制御部の構成と、出力装置の構成とを説明するためのブロック図である。
【図４】図１に示すネットワーク複合機による暗号化処理の処理手順を示すフローチャートである。
【図５】第２実施形態に係る画像処理装置が搭載されたネットワーク複合機が有する制御部の構成と、第２実施形態に係る出力装置の構成とを説明するためのブロック図である。
【図６】図５に示すネットワーク複合機による暗号化処理の処理手順を示すフローチャートである。
【図７】図５に示す出力装置による表示処理の処理手順を示すフローチャートである。
【図８】第２実施形態に係るプログラムを実行するコンピュータの構成を示すブロック図である。
【図９】第２実施形態に係るプログラムのモジュール構成を示す図である。
【図１０】パスワード付き原稿の変形例を示す図である。
【発明を実施するための形態】
【００２２】
以下、図面を参照して本発明の好適な実施形態について詳細に説明する。なお、各図において、同一要素には同一符号を付して重複する説明を省略する。
【００２３】
（第１実施形態）
最初に、図１を用いて、第１実施形態に係る画像処理装置が搭載されたネットワーク複合機１の構成について説明する。図１は、ネットワーク複合機１の構成を示すブロック図である。ネットワーク複合機１は、ＬＡＮ（Ｌｏｃａｌ  Ａｒｅａ  Ｎｅｔｗｏｒｋ）９０に接続された機器との間で情報の送受信が可能に構成され、プリント機能、スキャン機能、及びＦＡＸ機能を含む複合機能を備えた機器である。
【００２４】
このネットワーク複合機１は、パスワードが記載されたパスワード付き原稿を読み取って、読取画像データを生成し、生成した読取画像データをパスワードを用いて復号化可能に暗号化する機能を有する。ネットワーク複合機１とＬＡＮ９０を介して接続された出力装置５は、パスワードを用いて、ネットワーク複合機１により暗号化された読取画像データを復号化して表示する。
【００２５】
ネットワーク複合機１は、操作パネル１０、ディスプレイ１１、スキャナ１２、プリンタ１３、ＮＣＵ（Ｎｅｔｗｏｒｋ  Ｃｏｎｔｒｏｌ  Ｕｎｉｔ）１４、モデム１５、ＬＡＮ  Ｉ／Ｆ（ＬＡＮインターフェース）１９、及び制御部３０を備えている。なお、ＮＣＵ１４は、モデム１５と公衆交換電話網（ＰＳＴＮ）９１との接続を制御し、ＦＡＸの送受信機能を司る。
【００２６】
スキャナ１２は、光源及びＣＣＤ等によって構成されており、原稿を光学的に読み取る。この機能を利用して、スキャナ１２は、パスワード付き原稿を読み取って読取画像データを生成する。このスキャナ１２は、特許請求の範囲に記載の読取手段として機能する。図２を参照して、スキャナ１２の読取対象となるパスワード付き原稿６０について説明する。図２は、パスワード付き原稿６０の一例を示す図である。
【００２７】
パスワード付き原稿６０には、予め定められた領域にパスワード６１が記載されている。このパスワード６１は、読取画像データを暗号化する際には暗号化キーとして用いられ、復号化する際には復号化キーとして用いられる。また、パスワード６１は、暗号化された読取画像データを復号化する際に、ユーザの識別を行うために用いられてもよい。
【００２８】
パスワード６１は、文字認識処理が可能な文字列で構成され、図２に示される例では、英数字の文字列「ＡＢＣＤＥＦＧＨＩＪ０１２３」で構成されている。本実施形態では、パスワード６１及びキーワード６２の印刷されたシール６３が、パスワード付き原稿６０の予め定められた左上の特定領域６４内に貼り付けられている。すなわち、パスワード６１及びキーワード６２が、パスワード付き原稿６０の特定領域６４内に記載され、パスワード６１は、キーワード６２「ＰＡＳＳＷＯＲＤ」の下側に記載されている。
【００２９】
スキャナ１２が、パスワード付き原稿６０を読み取ることにより、パスワード６１及びキーワード６２が記載された特定領域６４の画像データを含む読取画像データが生成される。この読取画像データは、制御部３０によって暗号化される。制御部３０は、ＣＰＵ１６、ＲＯＭ１７、及びＲＡＭ１８等によって構成され、読取画像データの暗号化を含む以下の各機能を実現する。
【００３０】
図３を参照して制御部３０の機能的な構成要素を説明する。図３は、ネットワーク複合機１が有する制御部３０の構成と、出力装置５の構成とを説明するためのブロック図である。制御部３０は、パスワード取得部３１、パスワード訂正部３２、パスワード消去部３３、及び暗号化部３４を備える。なお、図３では、ネットワーク複合機１の構成要素のうち、主に制御部３０の説明に関係する構成要素を記載し、その他の構成要素は省略している。
【００３１】
パスワード取得部３１は、スキャナ１２によって生成された読取画像データに対して文字認識処理（ＯＣＲ処理）を行うことによりパスワード付き原稿６０に記載されたパスワード６１を取得する。なお、パスワード取得部３１は、特許請求の範囲に記載の取得手段として機能する。例えば、特定領域６４を特定するために、パスワード付き原稿６０上の位置及び範囲を示す座標データが記憶され、パスワード取得部３１は、記憶された座標データを用いて、読取画像データから特定領域６４の画像データを特定する。そして、パスワード取得部３１は、特定した画像データに対してＯＣＲ処理を行うことにより、特定領域６４内に記載されたパスワードを取得する。
【００３２】
より具体的には、パスワード取得部３１は、特定した画像データ内を検索して、パスワード付き原稿６０の特定領域６４内に記載された文字列を検出する。そして、検出した文字列に対してＯＣＲ処理を行うことにより、キーワード６２の文字列「ＰＡＳＳＷＯＲＤ」を認識する。文字列「ＰＡＳＳＷＯＲＤ」は、キーワード６２として予め登録されている。パスワード取得部３１は、登録されたキーワード６２の文字列「ＰＡＳＳＷＯＲＤ」を認識した場合、キーワード６２の文字列「ＰＡＳＳＷＯＲＤ」が記載された領域の下側に位置する他の文字列を検索する。そして、他の文字列を検出した場合、パスワード取得部３１は、検出した文字列に対してＯＣＲ処理を行い、認識した文字列「ＡＢＣＤＥＦＧＨＩＪ０１２３」をパスワード６１として取得する。
【００３３】
パスワード取得部３１は、取得したパスワード６１をディスプレイ１１へ出力する。これにより、ディスプレイ１１には、パスワード取得部３１によって取得されたパスワード６１が表示される。すなわち、ディスプレイ１１は、特許請求の範囲に記載の表示手段として機能する。また、操作パネル１０は、ディスプレイ１１によるパスワード６１の表示に対してユーザから入力されるパスワード６１の訂正入力を受け付ける。すなわち、操作パネル１０は、特許請求の範囲に記載の受付手段として機能する。
【００３４】
パスワード訂正部３２は、操作パネル１０によって受け付けられたユーザの訂正入力に基づいて、パスワード取得部３１によって取得されたパスワード６１を訂正する。すなわち、パスワード訂正部３２は、特許請求の範囲に記載の訂正手段として機能する。
【００３５】
パスワード消去部３３は、パスワード取得部３１によってパスワード６１が取得された後、読取画像データからパスワード６１及びキーワード６２の記載を消去する。例えば、パスワード消去部３３は、パスワード取得部３１によって特定された特定領域６４の画像データを、パスワード付き原稿６０の背景色と同じ色の画像データに置換する。
【００３６】
これにより、パスワード消去部３３は、読取画像データを表示してもパスワード６１及びキーワード６２が記載されていたことが分からないように、パスワード６１及びキーワード６２の記載を消去する。なお、パスワード消去部３３は、パスワード付き原稿６０の背景色に限らず、黒色や他の色の画像データに特定領域６４の画像データを置換してもよい。
【００３７】
暗号化部３４は、パスワード取得部３１によって取得されたパスワードを用いて復号化可能に、読取画像データを暗号化する。本実施形態では、暗号化部３４は、パスワードを用いて読取画像データの暗号化を行う。なお、パスワード取得部３１によって取得されたパスワードが、パスワード訂正部３２によって訂正された場合、暗号化部３４は、訂正された後のパスワードを用いて復号化可能に、読取画像データを暗号化する。
【００３８】
引き続いて、暗号化された読取画像データを表示する出力装置５について説明する。出力装置５は、ディスプレイ５１、キーボード及びマウス等から構成される受付部５２、復号化部５３、及びＬＡＮ  Ｉ／Ｆ５４を備える。例えば、ネットワーク複合機１によって暗号化されたパスワード付き原稿の読取画像データが、ネットワーク複合機１のＬＡＮ  Ｉ／Ｆ１９によって出力され、出力装置５のＬＡＮ  Ｉ／Ｆ５４によって出力装置５内へ入力される。
【００３９】
そして、ユーザが受付部５２を利用して、パスワード付き原稿６０に記載されたパスワード６１を入力すると、復号化部５３が、入力されたパスワードを用いて読取画像データを復号化する。復号化された読取画像データは、ディスプレイ５１に表示される。これにより、ユーザは、出力装置５を用いて、復号化された読取画像データを見ることができる。また、読取画像データからパスワード６１及びキーワード６２が消去されているので、ディスプレイ５１には、表示されない。
【００４０】
なお、出力装置５が、パスワードを記憶するメモリを備え、ユーザから入力されたパスワードと、メモリに記憶されたパスワードとが一致した場合に、復号化部５３が読取画像データを復号化するように構成してもよい。また、出力装置５に表示された読取画像データをネットワーク複合機１又は別のプリンタ等に出力し、読取画像データを用紙に印刷してもよい。この場合も、用紙には、パスワードが印刷されない。
【００４１】
引き続いて、図４を参照してネットワーク複合機１の動作について説明する。図４は、ネットワーク複合機１による暗号化処理の処理手順を示すフローチャートである。
【００４２】
例えば、パスワード付き原稿６０がネットワーク複合機１にセットされ、パスワード付き原稿６０を読み取って暗号化する旨の操作が、ユーザによって入力される。この入力が、操作パネル１０によって受け付けられると、ステップＳ１０１で、暗号化モードであると判断され、処理がステップＳ１０３へ進む。暗号化する旨の操作が受け付けられなかった場合は、ステップＳ１０１で、通常モードであると判断され、ステップＳ１０２へ処理が進む。ステップＳ１０２では、通常の読取処理（スキャン）が行われ、処理が終了する。
【００４３】
ステップＳ１０３では、パスワード付き原稿６０の読取処理が行われ、生成された読取画像データから、パスワード付き原稿６０の特定領域６４内に記載された文字列が検索される。ステップＳ１０４では、特定領域６４内に記載された文字列が検出されたか否かが判断される。文字列が検出されなかった場合、ステップＳ１０７へ処理が進む。文字列が検出された場合、ステップＳ１０５へ処理が進む。ステップＳ１０５では、検出された文字列のＯＣＲ処理が行われる。
【００４４】
ステップＳ１０６では、ステップＳ１０５のＯＣＲ処理によって認識された文字列に、登録されたキーワード６２「ＰＡＳＳＷＯＲＤ」が含まれているか否か判断される。登録されたキーワード６２が含まれていない場合は、ステップＳ１０７へ処理が進む。ステップＳ１０７では、「キーワード無し」のメッセージが、ディスプレイ１１に表示される。
【００４５】
ステップＳ１０６でキーワードが含まれていると判断された場合は、ステップＳ１０８へ処理が進む。ステップＳ１０８では、特定領域６４内におけるキーワード６２が記載された領域の下側に他の文字列が存在するか否かが判断される。ステップＳ１０８において、他の文字列が存在しないと判断された場合は、ステップＳ１０９へ処理が進む。ステップＳ１０９では、「パスワード無し」のメッセージがディスプレイ１１に表示され、処理が終了する。
【００４６】
ステップＳ１０８において、他の文字列が存在すると判断された場合は、ステップＳ１１０に処理が進む。ステップＳ１１０では、ステップＳ１０８で存在すると判断された他の文字列についてＯＣＲ処理が行われ、本実施形態では、パスワード６１として「ＡＢＣＤＥＦＧＨＩＪ０１２３」が取得される。そして、ステップＳ１１１では、ステップＳ１１０において取得されたパスワード６１が、ディスプレイ１１に表示される。ユーザは、ディスプレイ１１に表示されたパスワード６１が誤っている場合には、操作パネル１１を用いて訂正することができる。
【００４７】
ステップＳ１１２では、ユーザによる訂正入力が受け付けられたか否かが判断される。ユーザによる訂正の入力がされなかった場合は、ステップＳ１１４へ処理が進む。ユーザによる訂正入力が受け付けられた場合は、ステップＳ１１３へ処理が進む。ステップＳ１１３では、ステップＳ１１０において取得されたパスワードが、受け付けられた訂正入力に基づいて訂正される。
【００４８】
続いて、ステップＳ１１４では、特定領域６４が、パスワード付き原稿６０の背景色の画像データに置換され、パスワード６１及びキーワード６２が消去される。そして、ステップＳ１１５では、パスワード付き原稿６０の読取画像データが、パスワードを用いて復号化可能に、パスワードを用いて暗号化される。
【００４９】
以上説明した本実施形態に係るネットワーク複合機１では、パスワード付き原稿６０に記載されたパスワード６１が読取画像データから取得され、取得されたパスワード６１を用いて復号化することが可能に、読取画像データが暗号化される。このため、読取画像データが復号化される際に必要なパスワード６１は、パスワード付き原稿６０に記載されているので、ユーザは、暗号化された読取画像データ毎にパスワード６１を管理する必要はなく、パスワード付き原稿６０を見れば、復号化に必要なパスワード６１を知ることができる。すなわち、暗号化した読取画像データが復号化される際に必要なパスワードの管理の手間を軽減することが可能となる。
【００５０】
また、本実施形態に係るネットワーク複合機１では、読取画像データからパスワード６１の記載が消去されるので、暗号化された読取画像データには、パスワード６１の記載が含まれない。従って、暗号化された読取画像データを復号化して表示又は印刷した場合であっても、パスワード６１が表示又は印刷されないので、他人にパスワードが見られないようにすることができる。
【００５１】
また、本実施形態に係るネットワーク複合機１では、ＯＣＲ処理によって得られたパスワード６１が表示され、ユーザからパスワードの訂正入力を受け付けた場合に、この受け付けられた訂正入力に基づいてパスワードの訂正が行われる。このため、ＯＣＲ処理によるパスワードの認識に誤りがあった場合であっても、パスワード付き原稿６０に記載されたパスワード６１に訂正され、訂正されたパスワードを用いて復号化可能に暗号化を行うことができる。すなわち、誤ったパスワードで暗号化の処理が行われることを防止することができる。
【００５２】
また、本実施形態では、パスワード６１の記載された特定領域６４が予め定められている。このため、読取画像データ全体に対してＯＣＲ処理を行うことなく、読取画像データのうち、特定領域６４内に記載された文字列の画像データに対してＯＣＲ処理を行うだけで、パスワードを取得することができる。
【００５３】
なお、上記実施形態では、出力装置５がネットワーク複合機１とは別の装置である場合について説明したが、ネットワーク複合機１が出力装置５の機能を備えていてもよい。この場合、ネットワーク複合機１は、上記出力装置５が備える復号化部５３を備えることとなる。例えば、ユーザがネットワーク複合機１の操作パネル１０を利用して、パスワード付き原稿６０に記載されたパスワードを入力すると、ネットワーク複合機１が備える復号化部５３が、入力されたパスワードを用いて読取画像データを復号化する。復号化された読取画像データは、ディスプレイ１１に表示される。また、復号化された読取画像データをプリンタ１３によって印刷してもよい。
【００５４】
（第２実施形態）
上記第１実施形態に係るネットワーク複合機１は、読取画像データからパスワード６１を消去した後、読取画像データを暗号化した。これに対して、図５に示す第２実施形態に係るネットワーク複合機１Ａは、読取画像データからパスワード６１を消去せずに、暗号化し、出力装置５Ａが、読取画像データを復号化して表示する際に、読取画像データからパスワードを消去する。
【００５５】
以下、図５を参照して、第２実施形態に係る画像処理装置が搭載されたネットワーク複合機１Ａと、第２実施形態に係る出力装置５Ａの構成について説明する。図５は、ネットワーク複合機１Ａが有する制御部３０Ａの構成と、出力装置５Ａの構成とを説明するためのブロック図である。なお、第２実施形態の説明は、第１実施形態と異なる部分について主に説明し、第１実施形態と同様な部分については説明を省略する。
【００５６】
制御部３０Ａは、上記のパスワード消去部３３に変えて特定情報生成部３５Ａを備える。特定情報生成部３５Ａは、読取画像データに含まれる、パスワード６１が記載された記載領域６５の画像データと、キーワード６２が記載された記載領域６６の画像データとを特定する特定情報を生成する。図２に示すように、パスワード６１が記載された記載領域６５及びキーワード６２が記載された記載領域６６は、パスワード付き原稿６０の左上の特定領域６４内に位置する領域である。
【００５７】
特定情報は、例えば、パスワード６１及びキーワード６２がそれぞれ記載された矩形状の領域の位置及び範囲を特定する情報であり、座標等によって表すことができる。例えば、特定情報生成部３５Ａは、パスワード取得部３１がパスワード６１及びキーワード６２を取得する際にＯＣＲ処理を行った文字列が記載された領域を示す座標データをパスワード取得部３１から取得する。そして、取得した座標データを用いて特定情報を生成する。また、本実施形態では、暗号化部３４は、特定情報と読取画像データとを含む画像ファイルを生成し、生成した画像ファイルを暗号化する。
【００５８】
出力装置５Ａは、上記の出力装置５が備えるディスプレイ５１、受付部５２、復号化部５３、ＬＡＮ  Ｉ／Ｆ５４に加えて、特定部５５Ａ及びパスワード消去部５６Ａを備える。出力装置５Ａには、ネットワーク複合機１Ａによって暗号化された画像ファイルが、ＬＡＮ  Ｉ／Ｆ５４によって入力される。すなわち、ＬＡＮ  Ｉ／Ｆ５４は、特許請求の範囲に記載の取得手段として機能する。
【００５９】
受付部５２は、ユーザからパスワードを受け付ける。すなわち、受付部５２は、特許請求の範囲に記載の受付手段として機能する。そして、復号化部５３が、受付部５２によって受け付けられたパスワードを用いて、暗号化された画像ファイルを復号化する。すなわち、復号化部５３は、特許請求の範囲に記載の復号化手段として機能する。画像ファイルには、読取画像データと特定情報が含まれているので、復号化部５３による復号化処理によって、読取画像データ及び特定情報が復号化される。
【００６０】
特定部５５Ａは、特定情報を用いて、復号化された読取画像データに含まれる、パスワード６１が記載された記載領域６５の画像データと、キーワード６２が記載された記載領域６６の画像データと特定する。
【００６１】
パスワード消去部５６Ａは、特定部５５Ａによって特定されたパスワード６１の画像データと、キーワード６２の画像データとを、パスワード付き原稿６０の背景色の画像データに置換する。これにより、読取画像データからパスワード６１とキーワード６２とが消去される。なお、パスワード消去部５６Ａは、特許請求の範囲に記載の消去手段として機能する。そして、ディスプレイ５１には、パスワード及びキーワードが消去された読取画像データが表示される。すなわち、ディスプレイ５１は、特許請求の範囲に記載の出力手段として機能する。
【００６２】
引き続いて、図６を参照してネットワーク複合機１Ａの動作について説明する。図６は、ネットワーク複合機１Ａによる暗号化処理の処理手順を示すフローチャートである。
【００６３】
図６に示すステップＳ１２１〜Ｓ１２７では、上述した図４に示すステップＳ１０１〜Ｓ１０７の処理と同じ処理が行われる。続くステップＳ１２８では、キーワード６２の記載領域６６を示す座標データが記憶される。ステップＳ１２９〜Ｓ１３１では、図４に示すステップＳ１０８〜Ｓ１１０の処理と同じ処理が行われる。続くステップＳ１３２では、パスワード６１の記載領域を示す座標データが記憶される。
【００６４】
ステップＳ１３３〜Ｓ１３５では、図４に示すステップＳ１１１〜Ｓ１１３の処理と同じ処理が行われる。続くステップＳ１３４では、ネットワーク複合機１Ａにおいて、ステップＳ１２８で記憶されたキーワード６２の記載領域６６を示す座標データと、ステップＳ１３２で記憶されたパスワード６１の記載領域を示す座標データとを用いて特定情報が生成される。そして、この特定情報と読取画像データとを含む画像ファイルが生成される。
【００６５】
続いて、ステップＳ１３５では、ステップＳ１３４で生成された画像ファイルが、パスワードを用いて復号化可能に、パスワードを用いて暗号化される。以上の処理により、パスワード６１及びキーワード６２が記載されたパスワード付き原稿６０の読取画像データと、パスワード６１の記載領域６５及びキーワード６２の記載領域６６を特定可能な特定情報とが、パスワード６１によって復号化可能に暗号化される。
【００６６】
次に、図７を参照して、出力装置５Ａの動作について説明する。図７は、出力装置５Ａによる表示処理の処理手順を示すフローチャートである。
【００６７】
まず、ステップＳ１４１において、画像ファイルが読み込まれる。そして、ステップＳ１４２では、読み込まれた画像ファイルが、暗号化されたファイルか否か判断される。ステップＳ１４２で暗号化されたファイルではないと判断された場合は、処理がステップＳ１４３へ進む。ステップＳ１４３では、通常の画像表示処理が行われ、ステップＳ１４１で読み込まれた画像ファイルに含まれる読取画像データが、ディスプレイ５１に表示される。
【００６８】
ステップＳ１４２で暗号化されたファイルであると判断された場合は、処理がステップＳ１４４へ進む。ステップＳ１４４では、パスワードの入力をユーザに要求するメッセージがディスプレイ５１に表示される。メッセージに応じてユーザがパスワード付き原稿６０に記載されたパスワード６１を入力すると、ステップＳ１４５では、パスワードの入力が受け付けられる。
【００６９】
ステップＳ１４６では、ステップＳ１４５で受け付けられたパスワードが正しいか否かが判断される。例えば、受け付けられたパスワードを用いて画像ファイルを復号化することができた場合に、パスワードが正しいと判断する。また、例えば、予めパスワードを登録し、登録されたパスワードと受け付けられたパスワードとが一致した場合に、パスワードが正しいと判断してもよい。この場合、正しいと判断されたパスワードを用いて画像ファイルが復号化される。
【００７０】
ステップＳ１４６においてパスワードが正しくないと判断された場合、処理が終了する。ステップＳ１４６においてパスワードが正しいと判断された場合、処理がステップＳ１４７へ進む。ステップＳ１４７では、画像ファイルを復号化することにより得られた特定情報を用いて、キーワード６２の記載領域６６の画像データが特定される。続いて、ステップＳ１４８では、特定情報を用いて、パスワード６１の記載領域６５の画像データが特定される。
【００７１】
そして、ステップＳ１４９では、キーワード６２の記載領域６６の画像データ及びパスワード６１の記載領域６５の画像データが、パスワード付き原稿６０の背景色の画像データに置換され、パスワード６１及びキーワード６２が読取画像データから消去される。続いて、ステップＳ１５０では、読取画像データがディスプレイ５１に表示される。
【００７２】
以上説明した本実施形態に係る出力装置５Ａでは、入力された特定情報を用いて、読取画像データからパスワード６１が記載された記載領域６５の画像データが特定され、パスワード６１が、復号化された読取画像データから消去される。復号化された読取画像データが表示される際には、パスワードが消去されているので、他人がパスワードを見ることができないようにすることが可能となる。
【００７３】
次に、図８及び図９を参照して、コンピュータ７０を出力装置５Ａとして機能させるプログラム８０について説明する。図８は、本実施形態に係るプログラム８０を実行するためのコンピュータ７０の構成を示すブロック図である。図９は、プログラム８０のモジュール構成を示す図である。
【００７４】
コンピュータ７０は、プログラム８０の実行等を制御する制御部（ＣＰＵ）７１、プログラム８０等が記憶されたハードディスク７２、メモリ（ＲＡＭ）７３、及びＣＤ−ＲＯＭ等の記録媒体に記録されたプログラム等を読み取り可能な読取装置７４とを備えている。また、コンピュータ７０は、マウス及びキーボードによって構成される受付部７５と、ディスプレイ７６と、ＬＡＮ  Ｉ／Ｆ７７とを備えている。
【００７５】
プログラム８０は、ＣＤ−ＲＯＭ等の記録媒体に記録されていてもよいし、ネットワークを介してサーバ等からコンピュータに提供されるものであってもよい。プログラム８０は、処理を統括するメインモジュール８１、取得モジュール８２、受付モジュール８３、復号化モジュール８４、特定モジュール８５、消去モジュール８６、及び表示モジュール８７を備える。例えば、読取装置７４により読み取られハードディスク７２に記憶（インストール）されたプログラム８０の各モジュールが実行されることにより、コンピュータ７０が、出力装置５Ａを構成するディスプレイ５１、受付部５２、復号化部５３、ＬＡＮ  Ｉ／Ｆ５４、特定部５５Ａ、及びパスワード消去部５６Ａとして機能する。
【００７６】
本実施形態によれば、プログラム８０が実行されることにより、コンピュータ７０を上述した出力装置５Ａとして機能させることができる。従って、ネットワーク複合機１Ａによって暗号化された読取画像データを復号化し、他人がパスワードを見ることができないように表示することが可能となる。
【００７７】
なお、上記第２実施形態では、出力装置５Ａがネットワーク複合機１Ａとは別の装置である場合について説明したが、ネットワーク複合機１Ａが出力装置５Ａの機能を備えていてもよい。この場合、ネットワーク複合機１Ａが、上記出力装置５Ａが備える復号化部５３、特定部５５Ａ、パスワード消去部５６Ａを備えることとなる。例えば、ネットワーク複合機１Ａでは、暗号化部３４によって読取画像データ及び特定情報が暗号化されることにより、暗号化された読取画像データ及び特定情報を含む画像ファイルが取得される。すなわち、この場合、暗号化部３４が特許請求の範囲に記載の取得手段としても機能する。
【００７８】
そして、操作パネル１０によってユーザからパスワードが受け付けられる。すなわち、操作パネル１０が特許請求の範囲に記載の受付手段として機能する。続いて、ネットワーク複合機１Ａが備える復号化部５３が、操作パネル１０によって受け付けられたパスワードを用いて、暗号化された画像ファイルを復号化する。ネットワーク複合機１Ａが備える特定部５５Ａは、特定情報を用いて、復号化された読取画像データからパスワード６１が記載された記載領域６５の画像データと、キーワード６２が記載された記載領域６６の画像データとを特定する。
【００７９】
そして、ネットワーク複合機１Ａが備えるパスワード消去部５６Ａは、読取画像データからパスワード６１及びキーワード６２を消去する。そして、ディスプレイ１１には、パスワード及びキーワードが消去された読取画像データが表示される。すなわち、ディスプレイ１１は、特許請求の範囲に記載の出力手段として機能する。なお、プリンタ１３によってパスワード６１及びキーワード６２が消去された読取画像データを用紙に印刷してもよい。この場合、プリンタ１３が特許請求の範囲に記載の出力手段として機能する。
【００８０】
以上、本発明の実施の形態について説明したが、本発明は、上記第１及び第２実施形態に限定されるものではなく種々の変形が可能である。例えば、上記実施形態では、パスワード６１が記載された特定領域６４が予め定められていたが、これに限られない。図１０に示すように、パスワード付き原稿６０Ａの任意の領域６７にパスワード６１が記載されていてもよい。この場合、例えば、ネットワーク複合機１が備えるディスプレイ５１は、タッチパネルによって構成される。更に、このタッチパネルは、パスワード６１の記載された領域６７をユーザが指定可能に読取画像データを表示し、ユーザが指定した領域を受け付けるように構成される。そして、パスワード取得部は、タッチパネルによって受け付けられた領域内に記載された文字列の画像データに対してＯＣＲ処理を行うことにより、パスワード６１を取得する。
【符号の説明】
【００８１】
１，１Ａ  ネットワーク複合機
５，５Ａ  出力装置
１２  スキャナ
３１  パスワード取得部
３２  パスワード訂正部
３３  パスワード消去部
３４  暗号化部
３５Ａ  特定情報生成部
５１  ディスプレイ
５２  受付部
５３  復号化部
５４  ＬＡＮ  Ｉ／Ｆ
５５Ａ  特定部
５６Ａ  パスワード消去部
６０，６０Ａ  パスワード付き原稿
６１  パスワード
６４  特定領域
６５  記載領域
８０  プログラム
【図１】
0005408012.tif 000002
【図２】
0005408012.tif 000003
【図３】
0005408012.tif 000004
【図４】
0005408012.tif 000005
【図５】
0005408012.tif 000006
【図６】
0005408012.tif 000007
【図７】
0005408012.tif 000008
【図８】
0005408012.tif 000009
【図９】
0005408012.tif 000010
【図１０】
0005408012.tif 000011